(57)【特許請求の範囲】
【請求項１】
携帯端末を装着可能な卓上ホルダを備えてなる携帯端末用充電装置において、前記卓上ホルダに設けられた携帯端末装着面と、前記卓上ホルダの一端に偏移して設けられ、携帯端末を卓上ホルダに装着したときに携帯端末の移動を規制する立設部と、該立接部近傍に設けられ、携帯端末を卓上ホルダに装着する際に携帯端末を前記携帯端末装着面へ案内するガイド面を有するガイド部とを有することを特徴とする携帯端末用充電装置。
【請求項２】
前記立設部に携帯端末を固定する固定手段を設けたことを特徴とする請求項１記載の携帯端末用充電装置。
【請求項３】
請求項１又は請求項２に記載の携帯端末用充電装置に装着可能な携帯端末であって、一端に前記固定手段と係合する係合部を有することを特徴とする携帯端末。
【発明の詳細な説明】
【０００１】
【発明の属する技術分野】
本発明は、携帯端末用充電装置及び携帯端末に関するものである。
【０００２】
【従来の技術】
一般に、携帯電話やＰＨＳ等の移動体通信端末、有線方式の電話機に付属するコードレス子機、或いはＰＤＡ等の携帯端末は、必要な電力を得るための電池が内蔵されており、充電装置により定期的に充電を行う必要がある。
【０００３】
斯かる携帯端末用の充電装置としては、従来、例えば、特開２００１−５７７４１号公報に記載されたようなものが存在し、これは、図１２に示される如く、携帯端末１の充電端子の充電端子（図示せず）が当接する給電用接片２を有し且つ携帯端末１を装着可能な卓上ホルダ３と、給電用コンセントに接続されるＡＣアダプタ５と、該ＡＣアダプタ５に対しアダプタコード６を介して接続され且つ卓上ホルダ３の充電端子に接続可能な接続プラグ７とを備えており、携帯端末１の充電を行う際には、アダプタコード６の接続プラグ７を卓上ホルダ３に接続し且つＡＣアダプタ５のＡＣ金属端子４を給電用コンセントに接続した状態で、卓上ホルダ３に携帯端末１を装着するようになっている。
【０００４】
そして、携帯端末１を卓上ホルダに装着する際には、下側位置決め部２４によって携帯端末１の下部側を位置決めすると共に、上側位置決め部２３によって携帯端末１の上部側を位置決めし、卓上ホルダ３における携帯端末１の装着位置を規制している。
【０００５】
【発明が解決しようとする課題】
しかしながら、前述の如き従来の携帯端末用充電装置では、卓上ホルダ３の上面側に携帯端末１の外形以上の大きさの位置決め部を突出して設けなければならず、充電装置である卓上ホルダ３の外形寸法の小型化を阻止する問題があった。
【０００６】
【課題を解決するための手段】
上記課題を解決するために、本発明は、携帯端末を装着可能な卓上ホルダを備えてなる携帯端末用充電装置において、前記卓上ホルダに設けられた携帯端末装着面と、前記卓上ホルダの一端に偏移して設けられ、携帯端末を卓上ホルダに装着したときに携帯端末の移動を規制する立設部と、該立接部近傍に設けられ、携帯端末を卓上ホルダに装着する際に携帯端末を前記携帯端末装着面へ案内するガイド面を有するガイド部とを設けたことを特徴とする。
【０００７】
また、本発明の携帯端末用充電装置は、更に、前記立設部に携帯端末を固定する固定手段を設けたことを特徴とするものである。
【０００８】
更に、本発明は、前記携帯端末用充電装置に装着可能な携帯端末であって、一端に前記固定手段と係合する係合部を設けたことを特徴とする。
【０００９】
ここで、立接部近傍に設けたガイド部とは、立接部に直接設けてたものであってよく、また、立接部とは別に卓上ホルダに独立に設けたものであってもよい。
【００１０】
また、このガイド部は、偏移して設けた立設部の近傍に設けたものであるが、このガイド部を立接部に対し同じ偏移方向に偏移して設けるようにしてもよい。
【００１１】
このように構成したことにより、充電装置に携帯端末の外形以上の大きさの上側位置決め部を突出して設ける必要がなく、また、立設部の幅も小さくすることができるため充電装置の外形を小さくすることができる。
【００１２】
また、携帯端末を固定する固定手段を配置する構造物を立設部にて共用化することができ、より携帯端末用充電装置の小型化を図ることができる。
【００１３】
【発明の実施の形態】
以下、本発明の第１の実施の形態について、図面を参照しながら詳細に説明する。
図１〜図２は本発明の第１の実施の形態を示す図であって、図中、図１２と同一の符号を付した部分は同一物を表している。
【００１４】
図１、２において、３は充電装置たる卓上ホルダ、１２は卓上ホルダ３の下ケース、１３は卓上ホルダ３の上ケース、８は卓上ホルダ３の一端である上側に偏移して設けられた立設部、９は立設部８の側面に設けられ、後述する携帯端末１の上側面２２と当接する立設部側面、１７は立設部８に設けられた小孔、１９は小孔１７から突出し、後述する図９、図１０に示される携帯端末１の上側面２２に偏移して設けられた係合溝２５と係合して携帯端末１を保持する係合爪、２６は立設部８に設けられた立設部側携帯端末装着面、１１は立設部８の立設部側携帯端末装着面２６に設けられたガイド部である。ここで、ガイド部１１は立接部８の近傍に設けられており、更に、このガイド部１１は立設部８の偏移方向と同じ方向に立設部８に対して偏移して配置されている。
【００１５】
そして、卓上ホルダの一端に立設部８が配置され、他端に下側位置決め部２４が配置されている。
【００１６】
また、１０は卓上ホルダ３の下側位置決め部２４側に設けられた携帯端末１の携帯端末装着面、２は卓上ホルダ３に設けられた給電用接片である。
【００１７】
ここで、本発明の実施の形態における携帯端末用充電装置の機能作用を説明するために、ガイド部１１を省くと共に立設部８を偏移せずに略中央に設けた構成の携帯端末用充電装置を図３及び図４に示す。また、図中、図１、２と同一の符号を付した部分は同一物を表している。
【００１８】
これら図３及び図４に示したガイド部１１を省くと共に立設部８を偏移せずに略中央に設けた携帯端末用充電装置に携帯端末１を載置する際の様子を図５に示す。
【００１９】
図５において、（ａ）は使用者によって携帯端末１を最も右に傾いて置かれた場合を示す図であり、（ｂ）は使用者によって携帯端末１を最も左に傾いて置かれた場合を示す図である。
【００２０】
（ａ）（ｂ）共に、下側位置決め部２４の寸法Ｌを長くすることによって、携帯端末１を置く際の傾き具合を制限することはできるが、この寸法Ｌは充電装置の小型化のために短する要請があるため、この寸法Ｌを短くするという要請を満たすとすると実質的に傾き具合を精度よく制限することは困難となる。
【００２１】
また、同様に、立設部８の寸法Ｍを長くすることによって、立設部８の立設部側面９が携帯端末１の携帯端末上部側面に当接することにより、携帯端末１を置く際の傾き具合を制限することはできるが、この寸法Ｍは充電装置の小型化のために短する要請があるため、この要請を満たすとすると実質的に傾き具合を精度よく制限することは困難となる。
【００２２】
従って、図５（ａ）（ｂ）に示すように、寸法Ｌ及び寸法Ｍの長さを短くするという要請を満たしたものにおいては、使用者が携帯端末１を卓上ホルダ３に置く際には、かなりの左右への傾きが生じることになり、携帯端末１を卓上ホルダ３上に位置決めすることは困難になってしまう。
【００２３】
よって、精度良く卓上ホルダ上に携帯端末を載置するためには、下側位置決め部２４の寸法Ｌを長くしたり、立接部８の幅寸法Ｍを長くしなければならない。
【００２４】
一方、本発明の携帯端末用充電装置の場合は、図６の（ａ）（ｂ）に示すように、使用者が携帯端末１を図５のものよりもかなり傾けて置いた場合であっても、立設部８近傍に設けたガイド部１１や立接部８を偏移して配置していることによって、正しい載置位置へおのずと導かれるため、容易に位置決めがなされることになる。
【００２５】
つまり、図６（ａ）の場合にあっては、携帯端末１を右方向に傾けて使用者が置いた場合を示すものであるが、立設部８が右側に偏移して配置されているため、図５（ａ）の構成と比較し携帯端末１はより斜めに置かれる場合がある。
【００２６】
しかし、この場合には立接部８の近傍であって、且つ、立接部８の偏移方向と同方向に偏移して設けられたガイド部１１が携帯端末１の背面に当接することになる。
【００２７】
この際、ガイド部１１は携帯端末１が載置される卓上ホルダの面よりも突出して設けられているため、携帯端末１は後述する図９に示すようにガイド部１１と当接している側が持ちあがるようになるので、携帯端末１の自重または使用者が携帯端末１を卓上ホルダに押しつける動作などによって、ガイド部１１をすべり落ちて最終的には略傾きのない位置まで（後述する図１０を参照）自ずと位置決めされる。
【００２８】
また、図６（ｂ）の場合にあっては、携帯端末１を左方向に傾けて使用者が置いた場合を示すものであるが、立接部８が右方向に大きく偏移して設けられているため、立接部８の立接部側面９が携帯端末１の携帯端末上部側面２２に当接して傾き量を規制することになり、図５（ｂ）と比較し携帯端末１はほぼ位置決め位置に近しい状態にしか置くことができない。
【００２９】
従って、この載置状態から、携帯端末１の自重、使用者が携帯端末１を卓上ホルダに押しつける動作、または後述する固定手段による固定動作などによって、最終的には略傾きのない位置まで自ずと位置決めされる。
【００３０】
従って、本発明のものは上記の作用のため、特に卓上ホルダ３の右側にガイド部を設ける必要がなく、立接部８に関しても、卓上ホルダの幅に近しいほどの大きさのものを設ける必要もないため、小型化を図ることができる。
【００３１】
更に、下側位置決め部の形状を小さくすることもできる。
【００３２】
ここで、図７から図１０を用いて、実施の形態の携帯端末用充電装置の細部をより具体的に説明する。
【００３３】
図７は、実施の形態におけるより細部を示した斜視図であり、図中、図１から６と同一の符号を付した部分は同一物を表している。
【００３４】
図７において、５はＡＣアダプタであり、４はＡＣアダプタ５に設けられたＡＣ金属端子、７は充電装置たる卓上ホルダ３に設けられた図示しないコネクタと接続される接続プラグ、６はＡＣアダプタ５と接続プラグ７とを電気的に接続するアダプタコードである。
【００３５】
また、図８は、本発明の実施の形態の側面断面図である。同図に示す如く、卓上ホルダ３は、下側ケース１２と上側ケース１３とを一体的に組みつけてなるものであり、その内部には、携帯端末１の充電用端子１４が当接する給電用接片２が配置された基板１５と、スプリング１６の付勢力により上側ケース１３の小孔１７から先端部が所要量だけ突出するようピン１８を中心に枢支された係合爪１９を配設している。
【００３６】
携帯端末１の充電時には、図８に示す如く、係合爪１９を携帯端末１の係合溝２５に係合させ、卓上ホルダ３に対して携帯端末１を固定するようにしてある。
【００３７】
ここで、卓上ホルダ３に携帯端末１を装着する際、携帯端末１の下側及び／または側面側の筐体がガイド部１１や立接部８の立接部側面９によってガイドされ、卓上ホルダ３の携帯端末装着面１０上の位置決め作用を奏する。そして、携帯端末１の位置決が正しく行われると携帯端末１の係合溝２５に卓上ホルダ３の係合爪が係合し携帯端末３が固定されることになる。
【００３８】
このように正しく位置決めされた状態を図１０に示す。図６（ａ）の方向に斜めに傾けて携帯端末１を置いた場合の状態を図９に示す。
【００３９】
図９において、携帯端末１はその下側筐体がガイド部１１に当接し、図９の右方向においては下側筐体を携帯端末装着面１０に当接することになる。
【００４０】
ここで、ガイド部１１は、携帯端末装着面１０よりも突出して設けられているため、図９に示すように携帯端末１は傾いた状態となるので、携帯端末の自重や図９に示す矢印方向への使用者による押し圧動作によって、ガイド１１の略斜面をすべり落ち、図１０に示す正しい位置へとおのずと導かれることになる。そして、図１０の位置にまで導かれた携帯端末１は、その係合溝２５に係合爪１９が係合して固定されることとなる。
。
【００４１】
次に、本発明の他の実施の形態について、図１１を用いて説明する。
【００４２】
同図中、図１５、並びに図１から図１０と同一の符号を付した部分は同一物を表している。
【００４３】
図１１において、携帯端末１は、略平面の携帯端末装着面１０に載置されるものであって、ガイド部１１は、前述の実施の形態と異なり立接部２６の立設部側携帯端末装着面２６に設けずに、直接携帯端末装着面１０に設けている。
【００４４】
このように構成することにより、前述の実施の形態と同様の作用効果を奏すると共に、より携帯端末用充電装置の小型化を図ることができるものである。
【００４５】
ここで、本発明の携帯端末用充電装置は、図１２に示すような上側位置決め部２３を備えたものであってもかまわなが、携帯端末用充電装置のより一層の小型化を図るためにはこの上側位置決め部を省くことが好ましい。
【００４６】
よって、本発明の実施の形態のものは、従来のものと比べ、使用者は携帯端末を卓上ホルダ上により大まかに載置するだけで、携帯端末は精度よく卓上ホルダに位置決めすることができる。
【００４７】
また、卓上ホルダに突出して設けられている上側位置決め部を省くことができ、更には、立設部の幅も小さくできるなど、充電装置の外形を著しく小さくすることができる効果を奏する。
【００４８】
更に、携帯端末を固定する固定手段を配置する構造物を立設部にて共用化することができ、より携帯端末用充電装置の小型化を図ることができる。
【００４９】
また、携帯端末側において携帯端末用充電装置に装着する際に固定手段が係合する係合溝を偏移して設けたので、携帯端末用充電装置を小型にすることが可能になる。
【００５０】
以上、本発明の実施の形態について説明したが、本発明の携帯端末用充電装置は、上述の実施の形態例にのみ限定されるものではなく、本発明の要旨を逸脱しない範囲内において種々変更を加え得ることは勿論である。
【００５１】
【発明の効果】
以上説明したように、本発明の携帯端末用充電装置並びに携帯端末によれば、充電装置の外形を著しく小さくすることができる効果を奏する。
【図面の簡単な説明】
【図１】本発明の実施の形態の斜視図である。
【図２】本発明の実施の形態の上面図である。
【図３】本発明の実施の形態の作用効果を説明するための比較対象たる充電装置の斜視図である。
【図４】本発明の実施の形態の作用効果を説明するための比較対象たる充電装置の上面図である。
【図５】本発明の実施の形態の作用効果を説明するための比較対象たる充電装置のガイド状態を示す図である。
【図６】本発明の実施の形態の充電装置のガイド状態を示す図である。
【図７】本発明の実施の形態の細部を示す斜視図である。
【図８】本発明の実施の形態を示す断面図である。
【図９】本発明の実施の形態のガイド状態を示す図である。
【図１０】本発明の実施の形態のガイド状態を示す他の図である。
【図１１】本発明の他の実施の携帯を示す斜視図である。
【図１２】従来例を示す斜視図である。
【符号の説明】
１  携帯端末
２  給電用設片
３  卓上ホルダ
４  ＡＣ金属端子
５  ＡＣアダプタ
６  アダプタコード
７  接続プラグ
８  立設部
９  立設部側面
１０  携帯端末装着面
１１  ガイド部
１２  下側ケース
１３  上側ケース
１４  充電用端子
１５  基板
１６  スプリング
１７  小孔
１８  ピン
１９  係合爪
２０  アンテナ
２１  アンテナ取付部
２２  携帯端末上部側面
２３  上側位置決め部
２４  下側位置決め部
２５  係合溝
２６  立設部側携帯端末装着面
【図１】
0003762295.tif 000002
【図２】
0003762295.tif 000003
【図３】
0003762295.tif 000004
【図４】
0003762295.tif 000005
【図５】
0003762295.tif 000006
【図６】
0003762295.tif 000007
【図７】
0003762295.tif 000008
【図８】
0003762295.tif 000009
【図９】
0003762295.tif 000010
【図１０】
0003762295.tif 000011
【図１１】
0003762295.tif 000012
【図１２】
0003762295.tif 000013